(57)【要約】【課題】物品を搬送する搬送路上の異常発生を検出して管理者に対し迅速に通知することのできる物品区分装置を提供することである。【解決手段】物品を搬送手段で搬送し、物品から区分情報を読取り、物品を区分する物品区分装置において、搬送手段の複数個所で搬送異常を検出する複数の異常検出手段、異常検出手段に対応し搬送手段の複数個所の画像を撮像する複数の撮像手段、搬送手段全体を模式的に所定色で表示する第１の表示部と撮像手段で撮像された各画像を表示する複数の画像表示部からなる第２の表示部とを備えた監視モニタ、異常検出手段が異常を検出すると第１の表示部において当該異常検出手段と対応する個所を異なる色で表示する第１の表示制御手段、異常検出手段が異常を検出すると当該異常を検出した異常検出手段と対応する撮像手段を制御し、搬送手段の当該異常検出手段と対応する個所の画像を拡大して撮像し、第２の表示部の対応する画像表示部に表示する第２の表示制御手段とを具備する。【選択図】図１
2014113577.tif 000002
【特許請求の範囲】
【請求項１】
区分情報が付与されている物品を搬送手段により搬送し、この搬送される物品から前記区分情報を読取り、この読取った区分情報に基づき前記搬送される物品を区分処理する物品区分装置において、
少なくとも前記搬送手段の複数個所において前記物品の搬送異常を検出する複数の異常検出手段と、
この複数の異常検出手段に対応して設けられ、前記搬送手段の複数個所の画像を撮像する複数の撮像手段と、
少なくとも前記搬送手段全体を模式的に所定色で表示する第１の表示部と、前記複数の撮像手段で撮像された各画像を表示する複数の画像表示部からなる第２の表示部とを備えた監視モニタと、
前記異常検出手段が異常を検出すると、前記監視モニタの第１の表示部において、当該異常を検出した異常検出手段の設置位置と対応する個所をそれまでの色とは異なる色で表示する第１の表示制御手段と、
前記異常検出手段が異常を検出すると、前記複数の撮像手段のうち当該異常を検出した異常検出手段と対応する撮像手段を制御することにより、前記搬送手段の当該異常を検出した異常検出手段の設置位置と対応する個所の画像を拡大して撮像し、この撮像した拡大画像を前記監視モニタにおける第２の表示部の対応する画像表示部に表示する第２の表示制御手段と、
を具備する物品区分装置。
【請求項２】
前記第１の表示制御手段は、前記監視モニタの第１の表示部において、通常は第１の色で表示し、前記異常検出手段が検出した異常が軽い異常の場合は対応する個所を前記第１の色とは異なる第２の色で表示し、重い異常の場合は対応する個所を前記第１、第２の色とは異なる第３の色で表示する請求項１記載の物品区分装置。
【請求項３】
前記第１の表示制御手段は、異常発生時からあらかじめ定められる所定時間経過しても当該異常が復旧しない場合は、対応する個所の表示色を前記第１〜第３の色とは異なる第４の色に変更する請求項２記載の物品区分装置。
【請求項４】
前記異常検出手段が異常を検出すると、前記搬送手段の当該異常を検出した異常検出手段の設置位置と対応する個所の近傍に設置された作業モニタに異常情報を表示する手段をさらに具備する請求項１記載の物品区分装置。
【請求項５】
前記異常検出手段が異常を検出すると、前記搬送手段の当該異常を検出した異常検出手段の設置位置と対応する個所の近傍に設置された音声案内手段により、近隣の作業者に対し異常個所とその復旧を通知する手段をさらに具備する請求項１記載の物品区分装置。
【発明の詳細な説明】
【技術分野】
【０００１】
本発明の実施形態は、小包等の物品をその区分情報に基づき区分処理する物品区分装置に関する。
【背景技術】
【０００２】
最近、宛先情報（区分情報）が記載された帳票（配達伝票）が添付されている小包（物品）から前記帳票に記載されている宛先情報を読取り、この読取った宛先情報に基づき当該小包を行先別に区分処理する物品区分装置が開発され、実用化されている。
【０００３】
このような物品区分装置は、処理する小包をコンベア（搬送路）で搬送し、搬送される小包の帳票が貼付されている面の画像をカメラにより撮像し、このカメラにより撮像された画像から、前記帳票に記載された宛先情報を認識し（読取り）、この認識結果に基づき当該小包を区分処理するようにしている。
【０００４】
従来、このような物品区分装置では、その稼働状況を管理者が目視で監視している。しかしながら、処理する小包量の増加によりコンベアが大量に導入される物流拠点では、人的監視することは難しい。また、監視カメラの画像を監視室のモニタで表示するようなシステムが導入されているが、監視ポイントが多い場合にはモニタ上で分割（１／１６等）し、ローテーション表示するが、その各分割画像を注視し続けて異常を発見することは大変であり、かつ、難しいという問題がある。
【先行技術文献】
【特許文献】
【０００５】
【特許文献１】特許第３２０７４１９号公報
【発明の概要】
【発明が解決しようとする課題】
【０００６】
本発明が解決しようとする課題は、物品を搬送する搬送路上の異常発生を検出して管理者に対し迅速に通知することのできる物品区分装置を提供することである。
【課題を解決するための手段】
【０００７】
実施形態に係る物品区分装置は、区分情報が付与されている物品を搬送手段により搬送し、この搬送される物品から前記区分情報を読取り、この読取った区分情報に基づき前記搬送される物品を区分処理する物品区分装置において、少なくとも前記搬送手段の複数個所において前記物品の搬送異常を検出する複数の異常検出手段と、この複数の異常検出手段に対応して設けられ、前記搬送手段の複数個所の画像を撮像する複数の撮像手段と、少なくとも前記搬送手段全体を模式的に所定色で表示する第１の表示部と、前記複数の撮像手段で撮像された各画像を表示する複数の画像表示部からなる第２の表示部とを備えた監視モニタと、前記異常検出手段が異常を検出すると、前記監視モニタの第１の表示部において、当該異常を検出した異常検出手段の設置位置と対応する個所をそれまでの色とは異なる色で表示する第１の表示制御手段と、前記異常検出手段が異常を検出すると、前記複数の撮像手段のうち当該異常を検出した異常検出手段と対応する撮像手段を制御することにより、前記搬送手段の当該異常を検出した異常検出手段の設置位置と対応する個所の画像を拡大して撮像し、この撮像した拡大画像を前記監視モニタにおける第２の表示部の対応する画像表示部に表示する第２の表示制御手段とを具備する。
【図面の簡単な説明】
【０００８】
【図１】実施形態に係る物品区分装置の構成を概略的に示す模式図。
【図２】実施形態に係る監視モニタの構成を概略的に示す模式図。
【図３】実施形態に係る物品の搬送異常が生じた際の動作ついて説明するフローチャート。
【発明を実施するための形態】
【０００９】
以下、実施形態に係る物品区分装置について図面を参照して説明する。  
図１は、本実施形態に係る物品区分装置の構成を概略的に示すものである。この物品区分装置により扱う物品Ｐは、たとえば、６面形状の小包であり、少なくとも１つの面上に区分情報としての宛先情報が記載された帳票（配達伝票）Ｌが添付（たとえば、貼付）されている。上記宛先情報としては、都道府県名、市区町村名、街区番号、氏名などの全てあるいは一部から構成されている。なお、宛先情報以外にも依頼主の住所情報等の必要な情報が記載されている。
【００１０】
本実施形態に係る物品区分装置は、たとえば、複数の搬送処理系１Ａ，１Ｂ，…（以降、単に搬送処理系１とも言う）によって構成されている。各搬送処理系１Ａ，１Ｂ，…は同一構成であるので、以下、代表して搬送処理系１Ａについてだけ説明する。
【００１１】
搬送処理系１Ａは、処理する物品Ｐを帳票Ｌが添付された面を上にした状態で１個ずつ供給する供給部２、供給部２によって供給される物品Ｐを搬送するコンベア（搬送手段）３、コンベア３で搬送される物品Ｐの帳票Ｌが添付された面の画像を撮像し、その撮像画像から宛先情報を読取る読取部（読取手段）４、コンベア３の側部に沿って所定間隔あけて設けられ、読取部４を通過した物品Ｐを宛先情報の読取結果に基づき振分ける複数の振分ゲート５ａ，５ｂ，５ｃ，５ｄ、コンベア３の側部に沿って各振分ゲート５ａ〜５ｄにそれぞれ対応して設けられ、振分ゲート５ａ〜５ｄで振分けられた物品Ｐを受入れる複数の区分部６ａ，６ｂ，６ｃ，６ｄ、コンベア３の終端部に設けられ、宛先情報の読取りができなかった物品Ｐを受入れるリジェクト部７、読取部４の読取結果に基づき各振分ゲート５ａ〜５ｄを駆動制御するとともにコンベア３の駆動制御等を行なう搬送制御部８を備えている。
【００１２】
なお、各コンベア３にはコンベア番号が付与されているものとする。この例では、たとえば、搬送処理系１Ａ，１Ｂ，…の各コンベア３にはコンベア番号「Ｃ１」、「Ｃ２」、…が付与されている。
【００１３】
コンベア３の物品Ｐの搬送異常が生じやすい個所、たとえば、各振分ゲート５ａ〜５ｄにそれぞれ対応する部分、リジェクト部７の入口近傍、および、本実施形態ではコンベア３が読取部４の前方で湾曲しているのでその湾曲部には、それぞれ異常検出装置（異常検出手段）９ａ，９ｂ，９ｃ，９ｄ，９ｅ，９ｆが設けられている。
【００１４】
異常検出装置９ａ〜９ｆは、たとえば、コンベア３上での物品Ｐの詰りや地面への落下などの搬送異常を光学的および機械的に検出するもので、その検出信号は搬送制御部８へ送られる。  
搬送異常検出の具体例としては、たとえば、振分ゲート５の近傍に搬送される物品Ｐを検知する光学式センサを設けておき、この光学式センサの出力信号により、振分ゲート５の故障などが原因で搬送される物品Ｐが当該振分ゲート５部分で詰り滞留する現象が一定時間以上継続すると詰り異常が生じたと検出する。また、たとえば、搬送される物品Ｐがコンベア３上から落下した際に当該物品Ｐによりオン動作されるセンサを設けておくことにより、落下異常を検出する。
【００１５】
コンベア３の近傍には、異常検出装置９ａ〜９ｆにそれぞれ対応してカメラ（撮像手段）１０ａ，１０ｂ，１０ｃ，１０ｄ，１０ｅ，１０ｆが設けられている。カメラ１０ａ〜１０ｆは、異常検出装置９ａ〜９ｆと対応するコンベア３を含むその近傍の画像を撮像するもので、遠隔からチルト、パン操作可能な機能を備えている。
【００１６】
区分部６ａ〜６ｄの近傍には、異常情報等を表示して作業者Ｍ１等に通知する作業モニタ１１ａ，１１ｂ，１１ｃ，１１ｄがそれぞれ設けられている。作業モニタ１１ａ〜１１ｄは、作業者Ｍ１等に対し異常情報等を音声で通知するスピーカ（音声案内手段）１２ａ，１２ｂ，１２ｃ，１２ｄをそれぞれ備えている。
【００１７】
搬送制御部８、カメラ１０ａ〜１０ｆおよび作業モニタ１１ａ〜１１ｄは、それぞれ集中監視室に設置された監視サーバ１３に接続されていて、この監視サーバ１３によりそれぞれ制御される。監視サーバ１３には、管理者Ｍ２等が本物品区分装置の動作状態などを監視する監視モニタ１４、および、管理者Ｍ２が監視サーバ１３に対し各種設定操作や指示操作などを行なう端末装置１５が接続されている。
【００１８】
監視モニタ１４は、監視サーバ１３により制御されるもので、たとえば、図２に示すように、第１の表示部１４ａと第２の表示部１４ｂとを備えている。第１の表示部１４ａは、前記複数の搬送処理系１Ａ，１Ｂ，…全体を模式的に所定色で表示する図形表示部１５ａと、各種処理情報等を文字等により表示する処理情報表示部１５ｂとを備えている。
【００１９】
図形表示部１５ａは、前記搬送処理系１Ａ，１Ｂ，…に対応する搬送処理系表示部２１Ａ，２１Ｂ，…を備えている。各搬送処理系表示部２１Ａ，２１Ｂ，…は同一構成であるので、以下、代表して搬送処理系表示部２１Ａについてだけ説明する。
【００２０】
搬送処理系表示部２１Ａは、図示のように前記搬送処理系１Ａ全体を模式的に所定色で表示するもので、表示素子２２は供給部２に対応し、表示素子２３はコンベア３に対応し、表示素子２４ａ，２４ｂ，２４ｃ，２４ｄは区分部６ａ，６ｂ，６ｃ，６ｄに対応し、表示素子２５はリジェクト部７に対応している。コンベア３に対応する表示素子２３の前記異常検出装置９ａ〜９ｆと対応する各個所には、それぞれ位置情報２６ａ，２６ｂ，２６ｃ，２６ｄ，２６ｅ，２６ｆが付与されている。
【００２１】
このような構成において、たとえば、異常検出装置９ａが物品Ｐの搬送異常を検出すると、監視モニタ１４の対応する部分、すなわち、搬送処理系表示部２１Ａにおける表示素子２３の位置情報２６ａが付与された個所がそれまでの色とは異なる色で点灯され、コンベア３の異常検出装置９ａと対応する個所において物品Ｐの搬送異常が生じたことを表示するようになっている。
【００２２】
なお、図２の例では、図形表示部１５ａに全ての搬送処理系１Ａ，１Ｂ，…を同時に表示する場合について示しているが、搬送処理系１Ａ，１Ｂ，…の数と図形表示部１５ａの大きさによっては全ての搬送処理系１Ａ，１Ｂ，…を同時に表示できない場合がある。そのような場合は、たとえば、搬送処理系１Ａ，１Ｂ，…を表示可能な数に分割してローテーション表示するようにしてもよい。
【００２３】
第２の表示部１４ｂは、前記搬送処理系１Ａ，１Ｂ，…の各カメラ１０ａ〜１０ｆで撮像された各画像を表示する複数の画像表示部２７ａ，２７ｂ，２７ｃ，２７ｄ，２７ｅ，２７ｆ，…を備えている。
【００２４】
このような構成において、たとえば、異常検出装置９ａが物品Ｐの搬送異常を検出すると、対応するカメラ１０ａを制御することにより、異常検出装置９ａと対応するコンベア３を含むその近傍の画像を拡大して撮像し、その撮像した拡大画像を監視モニタ１４の対応する画像表示部２７ａに表示することで、コンベア３の異常検出装置９ａと対応する個所において搬送異常が生じた物品Ｐを含む画像を表示するようになっている。
【００２５】
なお、第２の表示部１４ｂは、カメラの数が設置可能な画像表示部の数よりも少ない場合は各カメラに対応して画像表示部を設ければよく、カメラの数が設置可能な画像表示部の数よりも多い場合は、各カメラの画像をそれよりも数の少ない画像表示部でローテーション表示するようにしてもよい。
【００２６】
次に、このような構成において動作を説明する。  
なお、各搬送処理系１Ａ，１Ｂ，…は同一動作であるので、以下、代表して搬送処理系１Ａについてだけ説明する。
【００２７】
まず、全体的な動作について簡単に説明する。  
供給部２は、処理する物品Ｐを帳票Ｌが添付された面を上にした状態で１個ずつコンベア３へ供給する。コンベア３は、供給部２によって供給される物品Ｐを搬送する。読取部４は、コンベア３で搬送される物品Ｐの帳票Ｌが添付された面の画像を撮像し、その撮像画像から宛先情報を読取り、搬送制御部８へ送る。搬送制御部８は、読取部４の読取結果に基づき振分ゲート５ａ〜５ｄを駆動制御することにより、コンベア３で搬送される物品Ｐを区分部６ａ〜６ｄあるいはリジェクト部７に振分ける。
【００２８】
次に、搬送異常が生じた際の動作について図３に示すフローチャートを参照して説明する。
【００２９】
たとえば、異常検出装置９ａが物品Ｐの搬送異常として落下を検出すると（ステップＳ１）、搬送制御部８は、搬送異常が生じたコンベア３のコンベア番号（この例では「Ｃ１」）、搬送異常が生じた個所の位置情報（この例では「２６ａ」）、異常種別を示す異常種別情報（この例では「落下」）からなる異常情報を監視サーバ１３へ送る（ステップＳ２）。
【００３０】
監視サーバ１３は、搬送制御部８から異常情報を受取ると、異常情報の内容に基づき、監視モニタ１４の対応する部分、この例では、搬送処理系表示部２１Ａにおける表示素子２３の位置情報２６ａが付与された個所をそれまでの色とは異なる色で点灯することで、コンベア３の異常検出装置９ａと対応する個所（位置情報「２６ａ」の個所）において物品Ｐの搬送異常が生じたことを表示する（ステップＳ２）。
【００３１】
すなわち、この例では、通常時は搬送処理系表示部２１Ａの全体は緑色（第１の色）で表示しているが、検出された異常が軽い異常の場合は対応する個所を黄色（第２の色）の表示に切換え、検出された異常が重い異常の場合は対応する個所を赤色（第３の色）の表示に切換えることにより、物品Ｐの搬送異常が生じたことを表示する（ステップＳ３）。
【００３２】
この例では、異常情報内の異常種別情報は「落下」であるので、この場合は軽い異常と判断し、表示素子２３の位置情報２６ａが付与された個所を黄色の表示に切換える。なお、異常情報内の異常種別情報が「詰り」である場合、この場合は重い異常と判断し、表示素子２３の位置情報２６ａが付与された個所を赤色の表示に切換える。
【００３３】
次に、監視サーバ１３は、当該異常が復旧したか否かを判断し（ステップＳ４）、復旧していない場合、所定時間（たとえば、１０分）経過したか否かを判断し（ステップＳ５）、所定時間経過していなければステップＳ４に戻り、所定時間経過していれば、表示素子２３の位置情報２６ａが付与された個所を紫色（第４の色）の表示に切換える（ステップＳ６）。
【００３４】
また、監視サーバ１３は、搬送制御部８から異常情報を受取ると、異常情報の内容に基づき、対応するカメラ、この例では、カメラ１０ａを制御することにより、異常検出装置９ａと対応するコンベア３を含むその近傍の画像を撮像し（ステップＳ７）、その撮像した画像を監視モニタ１４の対応する画像表示部２７ａに表示することで、コンベア３の異常検出装置９ａと対応する個所において搬送異常が生じた物品Ｐを含む画像を管理者Ｍ２に対し表示する（ステップＳ８）。
【００３５】
次に、監視サーバ１３は、管理者Ｍ２による端末装置１５の操作に基づき、カメラ１０ａをズーム制御することにより撮像画像を拡大し（ステップＳ９）、画像表示部２７ａの表示画像を拡大する。
【００３６】
ステップＳ４において当該異常が復旧している場合、あるいは、ステップＳ６の処理が終了すると、あるいは、ステップＳ９の処理が終了すると、監視サーバ１３は、搬送制御部８から受取った異常情報の内容に基づき、対応する異常個所近傍の作業モニタ、この例では作業モニタ１１ａに異常情報等を表示し、近隣の作業者Ｍ１等に通知する（ステップＳ１０）。
【００３７】
このようにして、監視モニタ１４に物品Ｐの搬送異常が生じたことが表示された場合、それを目視した管理者Ｍ２は、必要に応じて、端末装置１５の操作により、物品Ｐの搬送異常が生じた異常個所近傍のスピーカ、この例ではスピーカ１２ａを選択指定し、端末装置１５に設けられたマイクロフォン（図示省略）から音声入力することで、それを受けた監視サーバ１３は、スピーカ１２ａにより異常個所とその復旧を音声にて放送し、近隣の作業者Ｍ１に対し通知する（ステップＳ１１）。
【００３８】
作業モニタ１１ａを目視した作業者Ｍ１、あるいは、スピーカ１２ａによる放送を聞いた作業者Ｍ１は、物品Ｐの搬送異常が生じた異常個所、この例ではコンベア３の異常検出装置９ａと対応する個所において、生じた物品Ｐの搬送異常を解消するための作業を行なう（ステップＳ１２）。
【００３９】
監視サーバ１３は、当該異常が復旧したか否かを判断し（ステップＳ１３）、復旧していない場合はステップＳ１に戻り、上記同様な動作を繰り返し、復旧している場合は当該動作を修了する。
【００４０】
以上述べた少なくとも１つの実施形態の物品区分装置によれば、コンベアにおける物品の落下や詰り等の搬送異常があったら、即時に把握して監視モニタ上に表示して管理者に対し通知することができるとともに、管理者は画像で状況を確認して放送により近隣の作業者に対し指示することができる。  
これらにより、異常発生を直ぐに検出して異常復旧の対策をとることができ、コンベア停止による仕分け中断時間を最小にすることにより、処理効率の向上が図れる。
【００４１】
なお、前記実施形態では、物品Ｐの搬送異常を検出する場合について説明したが、コンベア３自体の異常をも検出して監視モニタ１４に異常表示するようにしてもよい。
【００４２】
また、たとえば、作業者Ｍ１が作業用の携帯端末装置１６を所持している場合、その携帯端末装置１６に対して作業モニタ１１と同様な異常情報等を無線通信により送信し、携帯端末装置１６にも表示することで作業者Ｍ１に対し通知するようにしてもよい。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれると同様に、特許請求の範囲に記載された発明とその均等の範囲に含まれるものである。
【符号の説明】
【００４４】
１Ａ，１Ｂ…搬送処理系、Ｐ…物品、Ｌ…帳票、２…供給部、３…コンベア（搬送手段）、４…読取部、５ａ，５ｂ，５ｃ，５ｄ…振分ゲート、６ａ，６ｂ，６ｃ，６ｄ…区分部、７…リジェクト部、８…搬送制御部、９ａ，９ｂ，９ｃ，９ｄ，９ｅ，９ｆ…異常検出装置（異常検出手段）、１０ａ，１０ｂ，１０ｃ，１０ｄ，１０ｅ，１０ｆ…カメラ（撮像手段）、１１ａ，１１ｂ，１１ｃ，１１ｄ…作業モニタ、１２ａ，１２ｂ，１２ｃ，１２ｄ…スピーカ（音声案内手段）、１３…監視サーバ、１４…監視モニタ、１４ａ…第１の表示部、１４ｂ…第２の表示部、１５…端末装置、１５ａ…図形表示部、１５ｂ…処理情報表示部、２１Ａ，２１Ｂ…搬送処理系表示部。
【図１】
2014113577.tif 000003
【図２】
2014113577.tif 000004
【図３】
2014113577.tif 000005